(57)【要約】【課題】トルマリンの特性を損なうことなく多彩な着色を可能とし、其の特性を最大限生かし向上させることを課題とする。【解決手段】１にアルミナを混合したセラミックにトルマリンを含有した釉薬を施し低温焼成することによる。２に銅を原料とする釉薬にトルマリンを混合し低温焼成することによる。３上記セラミックに低レベルの放射性物質を混合することによる。４に更に銀液又は金液を塗布し焼成することによる。【選択図】  図２
2005272151.tif 000002
【特許請求の範囲】
【請求項１】
アルミナを混合したセラミックにトルマリンパウダーを含有した釉薬を施し焼成したセラミック
【請求項２】
アルミナを混合したセラミックに、トルマリンパウダーを混合した銅を原料とする釉薬を施し焼成したセラミック
【請求項３】
請求項１．２記載のセラミックに銀液を塗布し焼成したセラミック
【発明の詳細な説明】
【技術分野】    ニューセラミック
【背景技術】
【０００１】従来マイナスイオンを発生させるセラミックは土にトルマリンパウダーを混合させて固めたものがあるが多彩な着色が困難である。
又、陶土にトルマリンを混合して焼成したものはトルマリンの特性が損なわれていた。
【発明の開示】
【発明が解決しようとする課題】
【０００２】当該セラミックはトルマリンの持つ特性を高め、多彩な色彩の着色を可能とし、更に、体内に吸収しやすくする方法を課題とする。
【課題を解決するための手段】
【０００３】
【０００４】当該発明においてはアルミナを混合したセラミックを使用することを特徴とし、アルミナを混合させた陶土を高温焼成したセラミックにトルマリンを含有した釉薬を施し低温焼成する方法により解決しようとする。【０００５】銅が原料の釉薬にトルマリンを混合した顔料を使用することによる。【０００６】又、前記セラミックに銀液を塗布し焼成することによる。
【発明の効果】
【０００７】本発明ではアルミナの持つ特性によりトルマリンの持つ特性を損なうことなく多彩な着色が可能となり、其の特性を高める効果がある。【０００８】又、当該発明では銅を原料とした釉薬を使用することにより、熱伝導率を高め、トルマリンの持つ特性を更に向上させる効果がある。【０００９】尚、更に銀液を塗布し焼成することにより、トルマリンの特性を体内に吸収する際、むだなく速やかに吸収させる効果がある。
【発明を実施するための最良の形態】
【００１０】当該発明は空気や水の浄化、人や動物などの健康維持、あるいは、改善に最良と思はれる。
【実施例】
【００１１】
【００１２】図に従って説明する、１ａはアルミナを含有させた球状のセラミックであり２ｂはトルマリンを含有した釉薬でこの釉薬は銅を原料としたものである。【００１３】３ｂは銀液を塗布した部分でありこの銀液は金液であってもよい【００１４】本発明のセラミックを球状に形成し連続させネックレスやブレスレットを形成したり、あるいは、布団や衣服に装着したりする、又、直接肌に貼着してもよく、更に、水や空気の浄化には、作動可能の器に装備し互いに衝撃を与えることにより一層の効果を期するものである。
【産業上の利用可能性】
【００１５】
【００１６】
【図面の簡単な説明】
【００１７】
【図１】アルミナを混合した陶土を球体に形成し、トルマリンを含有した釉薬を施し焼成したセラミックの断面図である。
【図２】アルミナを混合した陶土を球体に形成し、トルマリンを含有した釉薬を施し焼成したセラミックに銀液を塗布し焼成したセラミックの断面図である。
【符号の説明】
【００１８】１ａはアルミナを混合したセラミックである
２ｂはトルマリンを含有した釉薬である
３ｂは塗布した銀液である
【図１】
2005272151.tif 000003
【図２】
2005272151.tif 000004
【手続補正書】
【提出日】平成16年2月23日(2004.2.23)
【手続補正１】
【補正対象書類名】特許請求の範囲
【補正対象項目名】請求項２
【補正方法】変更
【補正の内容】
【請求項２】
アルミナを混合したセラミックにトルマリンパウダーと放射性物質を少量混入した釉薬を施し焼成したセラミック
【手続補正２】
【補正対象書類名】明細書
【補正対象項目名】全文
【補正方法】変更
【補正の内容】
【発明の詳細な説明】
【技術分野】    ニューセラミック【０００１】
【背景技術】従来マイナスイオンを発生させるセラミックは土にトルマリンパウダーを混合させて固めたものがあるが多彩な着色が困難である。
又、陶土にトルマリンを混合して焼成したものはトルマリンの特性が損なわれていた。
又、放射性物質はレベルが高いと人体に害があり低レベルでは放射性物質単独のものであった。【０００２】
【発明の開示】
【発明が解決しようとする課題】当該セラミックはトルマリンの持つ特性と低レベルの放射線の特性を損なうことなく、多彩な色彩の着色を可能とし体に吸収しやすくする方法を課題とする。【０００３】
【課題を解決するための手段】
【０００４】当該発明においてはアルミナを混合したセラミックを使用することを特徴とし、アルミナを混合させた陶土を焼成したセラミックにトルマリンを含有した釉薬を施し焼成する方法により解決しようとする。【０００５】トルマリンを混合した顔料に放射性物質を少量混入して使用することによる。【０００６】又、前記セラミックに銀液を塗布し焼成することによる。【０００７】
【発明の効果】本発明ではアルミナの持つ特性によりトルマリンの持つ特性を損なうことなく多彩な着色が可能となり、其の特性を高める効果がある。【０００８】又、当該発明ではトルマリンを含有した釉薬に放射性物質の粉末を微量混入して使用することにより、トルマリンの持つ特性と放射性物質の持つ特性を損なうことなくその相乗効果を期し、同時に身体に摂ることが可能である。【０００９】尚、更に銀液を塗布し焼成することにより、トルマリンの特性を体内に吸収する際、むだなく速やかに吸収させる効果がある。【００１０】
【発明を実施するための最良の形態】当該発明は空気や水の浄化、人や動物などの健康維持、あるいは、改善に最良と思はれる。【００１１】
【実施例】
【００１２】図に従って説明する、１ａはアルミナを含有させた球状のセラミックであり、アルミナはセラミックの表面に塗布したものであってよい、２ｂはトルマリンを含有した釉薬でこの釉薬は放射性物質を少量混入したものである。【００１３】３ｂは銀液を塗布した部分でありこの銀液は金液であってもよい【００１４】本発明のセラミックを球状に形成し連続させネックレスやブレスレットを形成したり、あるいは、座布団や寝具や衣服に装着したりする、又、直接肌に貼着してもよく、又、このセラミックを小さく、あるいは、粉末状にして、床材や壁材に混合してもよく、更に、水や空気の浄化には、作動可能の器に装備し互いに衝撃を与えることにより一層の効果を期するものである。【００１５】
【産業上の利用可能性】
【００１６】
【図面の簡単な説明】
【００１７】
【図１】アルミナを混合した陶土を球体に形成し、トルマリンを含有した釉薬に放射性物質を少量混入した釉薬を施し焼成したセラミックの断面図である。
【図２】アルミナを混合した陶土を球体に形成し、トルマリンと放射性物質を含有した釉薬を施し焼成したセラミックに銀液を塗布し焼成したセラミックの断面図である。
【符号の説明】
【００１８】１ａはアルミナを混合したセラミックである
２ｂはトルマリンを含有した釉薬に放射性物質を混入した釉薬である
３ｂは塗布した銀液である